(57)【特許請求の範囲】
【請求項１】
冷却されるべき食品又は飲料を受け入れるための缶内にそれぞれ固定される複数の熱交換ユニットに圧力下のガスを同時に装填するための装置であって、前記熱交換ユニットが内部に圧縮吸着剤材料を有し、前記装置が、
冷却トンネルと、
前記冷却トンネルを通して冷媒を連続的に流し、前記冷却トンネル内部の温度を摂氏５度に維持するために前記冷却トンネルに接続される冷媒源と、
その上に位置決めされる複数のパックを有するコンベヤ床と、
前記パックのそれぞれの上に個々に装着される、前記熱交換ユニットを内部にそれぞれ有する複数の缶であって、前記コンベヤ床が前記冷却トンネル内に移動可能に位置決めされる、缶と、
前記圧縮吸着剤材料によって吸着されるように、圧力下のガスを前記熱交換ユニットの少なくとも一部に注入するために前記熱交換ユニットの少なくとも一部と同時に係合するように位置決めされる、前記冷却トンネル内の複数のガス装填ヘッドシリンダと、
前記複数のガス装填ヘッドシリンダに接続される圧力下のガス源と、
を備え、
前記ガス装填ヘッドシリンダが、前記熱交換ユニットの少なくとも一部に同時に接続され、前記熱交換ユニットの少なくとも一部に圧力下の吸着されるガスを十分に装填するのに充分な所定の時間にわたって前記熱交換ユニットの内部に圧力下のガスを注入する、装置。
【請求項２】
前記冷媒源が液体二酸化炭素である、請求項１に記載の装置。
【請求項３】
前記圧力下のガスが二酸化炭素である、請求項２に記載の装置。
【請求項４】
前記コンベヤ床上のパック内に位置決めされる、熱交換ユニットを内部に有する各缶のためのガス装填ヘッドシリンダがあり、前記コンベヤ床が、前記ガス装填ヘッドシリンダが前記熱交換ユニットに接続されている状態で、前記所定の時間にわたって前記冷却トンネル内に静止した状態に維持される、請求項３に記載の装置。
【請求項５】
前記コンベヤ床が前記冷却トンネルを通して移動され、前記ガス装填ヘッドシリンダが前記熱交換ユニットの少なくとも一部にのみ接続され、前記所定の時間にわたって移動されている間に前記二酸化炭素を注入する、請求項３に記載の装置。
【発明の詳細な説明】
【技術分野】
【０００１】
本発明は、一般に、食品又は飲料を自己冷却するためのコンテナに用いられる熱交換ユニットに関し、より詳細には、熱交換ユニット内に配置された圧縮活性炭からの二酸化炭素の脱着によって温度低下が引き起こされるタイプの熱交換ユニットに用いられる圧縮活性炭上の二酸化炭素の吸着に関する。
【背景技術】
【０００２】
持ち運びできるコンテナで入手可能な多くの食品又は飲料は、好ましくは、それらが冷却されるときに消費される。例えば、炭酸清涼飲料、果実飲料、ビール、プリン、カッテージチーズなどは、好ましくは、華氏３３度（摂氏０．５５５度）から華氏５０度（摂氏１０度）の間の様々な温度で消費される。魚釣り、キャンプなどをするときに冷蔵庫又は氷の便利さを利用できなければ、これらの食品又は飲料を消費の前に冷却することはより難しくなり、こうした状況では、コンテナの内容物を消費の前に急速に冷却する方法を有することが非常に望ましい。したがって、自己冷却コンテナ、すなわち、外部の低温条件を必要としないものが望ましい。
【０００３】
当該技術分野は、外部の低温条件に曝さずに内容物を冷却することができる冷却液を組み入れるコンテナ設計であふれている。これらのコンテナの圧倒的大多数は、コンテナの内容物を冷却するために放出又は活性化されると熱を吸収する冷媒ガスを組み込んでいる或いは使用している。他の技術は、熱を吸収し、これによりコンテナの内容物を冷却する機構として吸熱化学反応を用いることを認識している。こうした吸熱化学反応装置の例は、米国特許第１，８９７，７２３号、第２，７４６，２６５号、第２，８８２，６９１号、及び第４，８０２，３４３号で開示される装置である。
【０００４】
ガス冷媒を使用する典型的な装置は、米国特許第２，４６０，７６５号、第３，３７３，５８１号、第３，６３６，７２６号、第３，７２６，１０６号、第４，５８４，８４８号、第４，６５６，８３８号、第４，７８４，６７８号、第５，２１４，９３３号、第５，２８５，８１２号、第５，３２５，６８０号、第５，３３１，８１７号、第５，６０６，８６６号、第５，６９２，３８１号、及び第５，６９２，３９１号で開示される装置である。多くの場合、上記の米国特許に示されるような構造体で用いられる冷媒ガスは、温度を適正に下げるように機能せず、又は機能する場合には、それらは温室効果に寄与する場合がある冷媒ガス物質を含み、したがって環境に優しくない。
【０００５】
従来技術で示されるような問題を解決するために、出願人は、本発明の一部として、二酸化炭素の吸着剤として機能する活性炭を含む吸着剤−脱着剤システムを使用している。このタイプのシステムは、参照により本明細書に組み込まれる米国特許第５，６９２，３８１号で開示される。
【０００６】
これらの装置では、吸着剤材料が容器内に配置され、容器の外面が、冷却されるべき食品又は飲料と熱的に接触する。通常、容器は外側コンテナに接続され、外側コンテナは、冷却されるべき食品又は飲料を、吸着剤材料を収容する容器の外面と熱的に接触する状態で受け入れる。この容器又は熱交換ユニットは、外側コンテナに、通常は外側コンテナの底部に取り付けられ、内側容器内に入っている吸着剤材料によって吸着されている二酸化炭素などの或る量のガスを放出するように機能する弁又は類似の機構を含む。弁が開かれるときに、二酸化炭素などのガスが脱着され、活性炭吸着剤からのガスの脱着の吸熱過程が、内側容器の外面と熱的に接触する食品又は飲料の温度を低下させ、これにより、その中に入っている食品又は飲料の温度を低下させる。
【０００７】
この冷却を達成するために、内側容器内に入っている炭素粒子上にできるだけ多くの二酸化炭素が吸着されることと、さらに、食品又は飲料内に含まれる熱エネルギーが、それらから内側容器の壁を通して伝達され、吸着剤材料を通して、脱着された二酸化炭素ガスと共に熱交換ユニットの外に運び出されることが必須である。好ましくは、吸着剤材料は活性炭であり、吸着されるガスは二酸化炭素である。本開示との関連において、「活性炭」は、微量の液体又はガスでさえも炭素上に吸着され得る強い吸着特性を呈するように特異的に活性化される炭素系材料の類に関係する。こうした活性炭は、多様な源、例えば石炭、木材、木の実（ココナッツなど）及び骨から生産されてもよく、ポリアクリロニトリルなどの合成の源から誘導されてもよい。高温での蒸気、二酸化炭素、又は他のガスとの選択的酸化、若しくは例えば塩化亜鉛又はリン酸を用いる化学活性化などの種々の活性化方法が存在する。吸着剤はまた、全組成の０．０１〜８０重量％の量のグラファイト材料、及びバインダ材料を含む。
【０００８】
天然又は合成の任意の入手可能な形態のグラファイトが活性炭に組み込まれてもよく、例えば、粉末化された又はフレークのグラファイトが用いられてもよい。好ましくは、グラファイトは、１０重量％〜５０重量％の範囲、より好ましくは２０重量％〜４５重量％、特に４０重量％の量で含まれる。
【０００９】
さらなる処理のために調製物の圧粉体強さを達成するべくポリテトラフルオロエチレンなどのバインダ材料が含まれる。活性炭とグラファイト及びバインダとの組成物は、参照により本明細書に組み込まれる米国特許第７，１８５，５１１号で開示される。
【発明の概要】
【発明が解決しようとする課題】
【００１０】
圧縮吸着剤材料上に吸着されるべき圧力下の二酸化炭素が熱交換ユニットに入れられるときに、物理的発熱反応が起こり、熱を放出する。この発熱反応の結果として圧縮吸着剤材料も加熱され、そうなることで、吸着剤材料上に吸着可能な二酸化炭素の量が制限される。この問題を緩和するために、加圧された二酸化炭素をＨＥＵに段階的に装填すること、すなわち、圧縮吸着剤材料が二酸化炭素をもはや吸着することができなくなるまで圧力下の二酸化炭素がＨＥＵに入れられることがこれまでは必要であった。この時点で、圧力下の二酸化炭素の源が取り外され、ＨＥＵが、冷却され、又は代替的に、発生している熱を消散させるために非常に低い温度に維持される冷却トンネルの中に入れられる。明らかに、これはＨＥＵの大量生産が妨げられる状況を生み出し、したがって生産コストを増大させる。したがって、二酸化炭素がＨＥＵ内の圧縮吸着剤材料上に吸着されている間、発熱反応によって生じる熱が除去される状態で、圧力下の二酸化炭素を組み立てられたＨＥＵに装填する装置及び方法が必要とされている。
【課題を解決するための手段】
【００１１】
食品又は飲料を受け入れるように適合されたコンテナの源を提供することと、熱交換ユニット缶の源を提供することと、ＨＥＵ缶に吸着剤材料を充填することと、吸着剤材料を有するＨＥＵ缶をコンテナに組み立てることと、組み立てられたＨＥＵ缶を有する複数のコンテナを冷却トンネルの中に入れることと、圧縮吸着剤材料上に吸着させるための二酸化炭素をＨＥＵの中に入れるべく圧力下の二酸化炭素の源を複数のＨＥＵのそれぞれに取り付けることと、発生した熱を除去するために冷却トンネルを所定の時間にわたって所定の低温に維持することと、ＨＥＵ組立体のそれぞれから二酸化炭素の源を取り外すことである。
【００１２】
熱交換ユニットに二酸化炭素を装填するための装置は、熱交換ユニットを組み込んだ複数のコンテナを受け取るためのコンベヤ床と、圧力下の二酸化炭素の源にそれぞれ接続される複数のガス装填ヘッドシリンダと、ガス装填ヘッドシリンダをＨＥＵ組立体に取り付けるための手段と、低温ガスの源と、前記低温ガスをコンベヤ組立体と接触するように循環させるための手段とを備える。
【図面の簡単な説明】
【００１３】
【図１】本発明の方法を示すブロック図である。
【図２】図１に示される方法の特定の部分を例示するブロック図である。
【図３】組み立てられたコンテナ及びＨＥＵを示す概略図である。
【図４】本発明の方法に用いられるパックの断面図である。
【図５】発生した熱を同時に除去しながら熱交換ユニットに二酸化炭素を装填するための装置の概略図である。
【発明を実施するための形態】
【００１４】
ここで図１をより詳細に参照すると、製造プロセスラインの概略図が提供されており、装置は、コンテナの内容物を冷却するのに用いられる吸熱装置であり、より詳細には、この場合のコンテナは飲料用缶であり、ＨＥＵが十分に装填された後で缶の中に適切な飲料が入れられることになる。図１で例示されるように、飲料用缶の供給を収容することになる缶源２４が提供され、飲料用缶は、中に飲料が入っておらず、上部は本発明のプロセスが完了するときに缶に飲料を充填するために開いたままでなければならないので上端が開いている状態の伝統的な飲料用缶であろう。缶源２４からの缶は、適切なコンベヤベルトなど２６に沿ってパンチ及びフランジ加工ステーション２８に移動する。パンチ及びフランジ加工ステーションは、缶の底に開口部を設け、その後、缶の底に設けられた開口部の周りに缶ＨＥＵ組立プロセス中に用いられる場合があるフランジを作製するために用いられる。自己冷却飲料用缶産業でＨＥＵとして用いられるコンテナの源を含むＨＥＵ缶源３０も提供される。これらの缶は、開いている上部と閉じている底部を有し、後で入れられる飲料を収容するのに十分なスペースが残っている状態で缶源２４からの飲料用缶の中に受け入れられるように缶源２４からの飲料用缶よりも小さい。ＨＥＵ缶は、適切なコンベヤなど３２に沿って吸着剤充填ステーション３４に移動することになる。吸着剤充填ステーションは、本発明の好ましい一実施形態に従って用いられ、この場合、ＨＥＵ缶内に入れられる吸着剤材料の使用によって吸熱反応が提供され、吸着剤材料は、以下でより十分に説明されるように、後で二酸化炭素を吸着し、保持し、その後、放出及び脱着時に所望の冷却機能を提供する。本発明の好ましい実施形態によれば、使用される吸着剤は、圧縮されているグラファイト及びバインダと組み合わされる活性炭粒子であろう。ＨＥＵ缶の開放端は、ＨＥＵ缶に吸着剤材料が充填された後で飲料用缶のパンチ及びフランジ加工された開放端と嵌合するように内向きにネック加工されてもよい。
【００１５】
いずれにしても、ＨＥＵ缶に吸着剤材料が適切に充填された後で、ＨＥＵ缶は次に、コンベヤ３６によって缶／ＨＥＵ組立ステーション３８に輸送される。同じく組立ステーション３８に輸送されるのは、組立プロセスで用いられる適切な弁及びガスケットであろう。弁及びガスケットは、それらの源４０から提供される。弁及びガスケットは、適切なコンベヤなど４２によって缶／ＨＥＵ組立ステーション３８に輸送される。ＨＥＵを組み立てる及びこれを飲料用缶に取り付けるにあたり、エラストマー材料で形成された適切なガスケットが、中に吸着剤材料が入っているＨＥＵの開放端の上に配置される。ガスケットがＨＥＵの開放端上に事実上適正に着座されることを保証するべく検査が行われる。その後、その上にガスケットを有するＨＥＵ開放端が、パンチ及びフランジ加工ステーション２８で缶の閉鎖端にパンチされた開口部を取り囲むフランジと嵌合される。弁及び弁カップが、次いで、缶の底に設けられた開口部に挿入され、同時にＨＥＵ缶の開口部に挿入され、クリンピングプロセスによって、後で飲料用缶の中に入れられる飲料のどのような漏れも防ぐためにＨＥＵと弁カップと缶との間に適切なシールが形成されるように弁とＨＥＵと飲料用缶が一緒に恒久的に固定される。（組み立てられた缶及びＨＥＵは、以下でより詳細に説明される図３に例示される。）
【００１６】
飲料用缶とＨＥＵの組み立て後に、この組立体は、コンベヤベルトなど４４によって冷却トンネル４６＋ガス装填ステーション５０に輸送される。吸着用の二酸化炭素が圧力下でＨＥＵ缶の内部に強制的に入れられる際に、多大な量の熱が発生する発熱反応が起こり、この熱はＨＥＵから放射されることになる。二酸化炭素吸着過程から熱が発生する際に、炭素が自然に加熱されることになり、炭素が加熱されるので、炭素が吸着できる二酸化炭素の量が減少する。冷却トンネルの一体部分であるガス装填ステーション５０で、弁が押し下げられ、二酸化炭素が、およそ２５バールの所定の圧力に達するまでＨＥＵの中に入れられる。冷却トンネル／ガス装填ステーションは、冷却トンネル／ガス装填ステーションを比較的低い温度、例えば５℃のオーダーに維持するために液体窒素などの低温のガスが充填されることになる。圧力下の二酸化炭素の源は、ＨＥＵ内が２５バールの圧力に達し、かつその圧力に維持されることを可能にする時間にわたって冷却トンネル／ガス装填ステーションが低温に保たれる間、ＨＥＵに取り付けられたままとなる。圧縮吸着剤によって所望の量の二酸化炭素が吸着されることを可能にする所定の時間量は、およそ２０〜３０分の時間となる。所望の量の二酸化炭素が圧縮吸着剤上に吸着されると、装填済みの組立体６２が、コンベヤ又は他の装置６０によって所望の食品又は飲料を充填するための所望の位置に輸送される。
【００１７】
図２を参照すると、炭素粉末がＨＥＵ缶に適用される吸着剤充填動作がより詳細に例示されている。図２に示されるように、炭素粉末源６８、金属粉末源７０、及びバインダ源７２が提供されている。炭素粉末は、シュート、シュートベルト、ねじ、プランジャ、又は他の機構などの適切な輸送手段７４によってミキサステーション７６に輸送される。金属粉末も、ベルト、シュート、ねじ、又はプランジャなどの輸送手段７８によってミキサステーション７６に輸送され、バインダも、同様の適切な輸送機構８０によってミキサステーション７６に同様に輸送される。ミキサステーション７６で、炭素粉末及び金属粉末が、ＨＥＵ缶に充填するのに用いることができる形態の所望の混合物を提供するために、適切なバインダと混合される。金属粉末の利用は、弁を通じて二酸化炭素ガスで飲料用缶の熱をより短い時間内で除去し、排出することができるように、炭素粒子を通じたより良好な熱伝達を提供するべく金属粒子と活性炭粒子との適切な混合を提供するためである。種々の金属粉末が良好に作用する場合があるが、グラファイト粉末が好ましいことが分かっている。炭素粒子内に配置される一種の伝熱機構がないと、熱は、伝統的に比較的良好な絶縁体である炭素を通じて容易に伝達されないことが分かっている。種々のタイプのヒートシンクが用いられているが、金属粉末と炭素の適切な混合物が、飲料からの熱を炭素を通じて大気中に伝達する優れた手段を提供することが分かっている。金属粉末と炭素は、バインダなしに組み合わせてＨＥＵ缶の中に入れ、飲料の冷却における優れた結果を伴って適切に圧縮することができることが分かっている。しかしながら、好ましい実施形態では、ポリテトラフルオロエチレンなどのバインダが、炭素及びグラファイトと共に含まれる。適切な組成物の一実施形態は、この参照により本明細書に組み込まれる米国特許第７，１８５，５１１号で開示される。
【００１８】
ここで図３をより詳細に参照すると、圧縮吸着剤を収容するＨＥＵと共に組み立てられた缶が例示されている。そこに例示されるように、缶１１２は、所望の食品又は飲料がその中に配置されることになる内部開き空間１１４を有する。缶１１２は、図１及び図２に関連して上述したように処理のために１１６で示されるように開口している。ＨＥＵ缶１２０は、圧縮吸着剤１３８を収容する。ＨＥＵ缶１２０は、当該技術分野では周知のように適切なクリンピングの使用を通じて缶１１２の底に取り付けられる。弁１２４は、図１に関連して上述したようにＨＥＵ缶１２０の頂部に固定される弁カップ１２２上に支持される。弁１２４は、１２８で示されるように圧縮吸着剤１３８の中に内向きに延びる。吸着剤に圧力下の二酸化炭素が装填されるときに、ガス装填ヘッドが弁１２４に取り付けられ、弁は、圧力下の二酸化炭素がＨＥＵ缶１２０に入り、吸着剤１３８によって吸着されることを可能にするために、プランジャ１３０を押し下げることで開かれる。
【００１９】
図４は、以下で図５に関連してより十分に説明されるように冷却トンネル４６／ガス装填ステーション５０で用いられるパックを示す。パック１４０は、好ましくは、プラスチック材料で構築されるが、所望の場合に金属又は他の材料で構築されてもよい。パック１４０は、缶１１２の開放端１１６を受け入れる溝１４４を画定する基部１４２を含む。パックの基部１４２は、次いで、種々の処理ステップ中に、具体的には缶ＨＥＵ組立体が図１で示されるように冷却トンネル／ガス装填ステーションの中に移動されるときに、１つのステーションから別のステーションへの移動のためにコンベヤ床又はベルトの上に置かれてもよい。
【００２０】
ここで図５をより詳細に参照すると、図１に関連して上述したように冷却トンネル／ガス装填ステーションとして機能することになる装置が、部分的に断面で概略的に例示されている。図５に示される装置は、およそ３メートル×２メートルのトンネル１５０などの囲われた領域を含み、かつ、圧力下の二酸化炭素ガスを受け入れるためにＨＥＵ／缶が配置される内側部分１５４を画定するハウジング１５２を含む。トンネル１５０の内部は、液体二酸化炭素（ＣＯ２）などのガスをそのガス源１５６から導管１５８によって例示されるトンネルの内部１５４に注入することによっておよそ５℃に維持される。トンネル１５０の内部１５４への液体ＣＯ２の流れが、図３に示されるＨＥＵ／缶が最初に冷却されることを可能にするであろう。
【００２１】
図５に示される装置は、１６２で例示されるＨＥＵ／缶組立体を置くことができるコンベヤ床１６０を含む。図示されるように、ＨＥＵ／缶組立体のそれぞれは、図４に示されるタイプのパック１６４内に位置決めされる。上述したように、かつ、ここで図５で例示されるように、図３で例示される組立体は、缶１１２の開放端１１６がパックの溝１４４内に位置決めされるように組立体を方向転換することによってパックに位置決めされる。この位置で、ＨＥＵ／缶組立体は、図５で見られるように弁１２４が上向きに延びるように配置される。１６６で示される複数のガス装填ヘッドシリンダが、インデックスコンベヤフレーム１６８上に支持される。１７０で示される圧力下の二酸化炭素ガス源が、導管１７２によって示されるようにガス装填ヘッドシリンダ１６６のそれぞれに接続される。
【００２２】
図５に示される装置は、２つの異なる様態で作動されてもよい。第１の様態では、１６２で示される内部に組み立てられたＨＥＵを有し、かつ、パック１６４内に位置決めされる缶が、１０個のこうしたＨＥＵ／缶組立体がコンベヤ床１６０の横方向に分布して存在し、かつ、２０個のこれらの組立体がコンベヤ床１６０に沿って長手方向に分布して存在するように位置決めされる。したがって、全部で２００個のＨＥＵ／缶組立体が、コンベヤ床の上に積載され、トンネル１５０の内部に位置決めされる。図５で見られるように、コンベヤ床は、内部１５４に押し込まれ、そこに静止されることになる。缶がトンネル１５０の内部１５４にこのように位置決めされるときに、各ガス装填ヘッド１６６が、各組立体の上に下向きに移動され、プランジャ１３０を個別に押し下げ、したがって、その中に入っている圧縮吸着剤上への二酸化炭素の吸着を開始するべく圧力下の二酸化炭素ガスがガス源１７０からＨＥＵに入ることを可能にするであろう。圧力下の二酸化炭素ガスのこの適用は、およそ２０〜３０分の時間にわたって、その全時間にわたって１０〜１５バールのガス圧で続けられるであろう。この時間中、缶の温度は、ＨＥＵ１２０に入る圧力下の二酸化炭素ガスによって生じる発熱作用の結果として上昇するであろう。２０〜３０分のすべての時間が経過した後で、その時間中に発生する熱が、液体ＣＯ２ブラストのその源１５６からの連続流れによって緩和されることになり、したがって、ＨＥＵ内の吸着剤１３８によって所望の量のＣＯ２が吸着されることを可能にする。それが行われた後で、ガス装填ヘッドシリンダ１６６のすべてがＨＥＵ／缶組立体１６２から係合解除されることになり、次いで、コンベヤ床が２００個の缶のすべてをトンネルの外に移動させ、次いで、上述のようにさらなる処理のために所望の位置に輸送することになる。それが行われた後で、ここで説明したプロセスは、別の２００個の缶をコンベヤ床上に送り出し、プロセスを繰り返すことによって繰り返されることになる。したがって、当業者には理解されるように、２００個の缶の各グループにつき１つのみのガス装填サイクルが必要とされ、各２０〜３０分の時間でおよそ２００個の缶を処理できる可能性がある。
【００２３】
代替的な構成として、図５に示される装置は、ガス源１５６からの液体ＣＯ２ガスがトンネルの内部１５４を５℃に維持するべくトンネルの内部１５４を通して処理される間、コンベヤ床１６０がトンネル１５０を通して連続的に移動されるように機能することになる。したがって、例示されるパック内のＨＥＵ／缶組立体がコンベヤを通じて移動される際に、ガス装填ヘッドが、ＨＥＵ／缶組立体の列と係合する状態に移動され、プランジャ１３０を押し下げ、二酸化炭素ガスがガス源１７０から缶に入ることを可能にするであろう。ガス装填ヘッドと継続的に接触し、かつ、圧力下の二酸化炭素ガスが吸着剤１３８によって吸着されることを可能にする缶が、およそ２０〜３０分の時間にわたってトンネルを通して移動することになり、その後、ガス装填ヘッドシリンダがＨＥＵ／缶組立体の列から取り外されることになる。これは連続的に行われるので、発生する熱は、すべての２００個の缶が同時にガス装填されるときに関係する熱よりもかなり少ないであろう。結果として、ここで説明したプロセスは、遥かにより効率よく働き、１分につきおよそ１０缶のガス装填を達成することができる。
【００２４】
冷却トンネル＋ガス装填ステーションはインライン製造プロセスの一部として図１で例示されているが、そうである必要はないことを理解されたい。図５で例示される冷却トンネル＋ガス装填ステーションは、独立したユニットであってもよい。この場合、中に圧縮吸着剤が入っている缶／ＨＥＵ組立体は、所望のどのような場所ででも別々に製造され、次いで、圧力下のＣＯ２をＨＥＵに入れるために冷却トンネル＋ガス装填ステーションに輸送されることになる。そうすることの１つの利点は、ＣＯ２なしの組み立てられた缶／ＨＥＵを発送できるようになり、したがってユニットを輸送中に危険なものではなくすることである。
【００２５】
したがって、吸着剤を収容するＨＥＵと缶の組み立てを達成し、その結果として生じる発熱反応を緩和しながらＨＥＵに二酸化炭素ガスを装填するための方法及び装置が開示される。
【図１】
0006416124.tif 000002
【図２】
0006416124.tif 000003
【図３】
0006416124.tif 000004
【図４】
0006416124.tif 000005
【図５】
0006416124.tif 000006